【手続補正書】
【提出日】平成29年1月30日(2017.1.30)
【手続補正１】
【補正対象書類名】明細書
【補正対象項目名】０００６
【補正方法】変更
【補正の内容】
【０００６】
デジタルカメラ９０では、図１０（ａ）に示すように、表示ユニット９２を回転軸Ａから離れるように矢印Ｐ方向（延出方向）に引っ張り出して、表示ユニット９２を回転軸Ａ回りに０〜１８０°の角度範囲で回転させることができるようになっている。図１０（ｂ），（ｃ）には、表示ユニット９２を１８０°回転させて、表示部９２ａを本体９１の前方側に向けた状態が示されており、この状態では、撮影者が自身を表示部９２ａで確認しながら撮影を行う、所謂、自分撮りを容易に行うことができる。
【手続補正２】
【補正対象書類名】明細書
【補正対象項目名】００１１
【補正方法】変更
【補正の内容】
【００１１】
本発明に係る電子機器は、表示装置が本体に取り付けられた電子機器であって、前記表示装置を前記本体に対して回転自在に軸支すると共に、前記表示装置を軸支する回転軸から離れる所定の方向に前記表示装置をスライド可能に保持するヒンジユニットを備え、前記ヒンジユニットは、前記表示装置を前記所定の方向に付勢する付勢部材を有し、前記表示装置と前記ヒンジユニットの一方にフォロワ部が設けられると共に他方に傾斜部および凹形状部が設けられ、前記表示装置が前記本体に収納された収納状態にあるときは、前記付勢部材による付勢力によって前記フォロワ部が前記凹形状部に係止し、前記収納状態にある前記表示装置を前記回転軸を中心として所定角度回転させると、前記フォロワ部の前記凹形状部に対する係止が解除され、前記付勢部材による付勢力によって前記フォロワ部が前記傾斜部を摺動して前記表示装置が前記所定の方向にスライドすることを特徴とする。
【手続補正３】
【補正対象書類名】明細書
【補正対象項目名】００３１
【補正方法】変更
【補正の内容】
【００３１】
図３に図示するように、スタンドプレート３８，３９は、本体１ａの下側の左右それぞれにビスで締結され、スタンドプレート３８，３９の立ち壁部には、回転軸Ｂと同軸となるように孔部３８ｂ，３９ｂが設けられている。本体１ａと表示ユニット２０とは、本体１ａと一体となるスタンドプレート３８，３９を介してベースプレート３１（第１のプレート部材）によって可動に連結される。そして、ベースプレート３１に対して、アームプレート３２（第２のプレート部材）が、ベースプレート３１に重ね合わせられるように可動に連結される。
【手続補正４】
【補正対象書類名】明細書
【補正対象項目名】００６９
【補正方法】変更
【補正の内容】
【００６９】
図９（ｂ）は、第３実施形態に係るデジタルカメラ１Ｂの背面側斜視図であり、表示ユニット２０を本体１ｂに収納された状態（第１の位置にある状態）から１８０°回転させた状態（第２の位置にある状態）を示している。表示ユニット２０が第２の位置にあるとき、トーションバネ３４の付勢力によって、表示ユニット２０は、図９（ａ）の矢印Ｔ方向とは逆向きの矢印−Ｔ方向（下側）に付勢されている。なお、表示ユニット２０が、回転軸Ａに向けて付勢されていることに変わりは無い。
【手続補正５】
【補正対象書類名】明細書
【補正対象項目名】００７０
【補正方法】変更
【補正の内容】
【００７０】
図９（ｃ）は、図９（ｂ）中の矢視Ｄ−Ｄ断面図であり、ヒンジユニット３０ｂの回転軸Ａの周辺構造を示している。表示ユニット２０を第１の位置から第２の位置へ向けて回転軸Ａ回りに回転させると、先ず、表示ユニット２０の外装カバー２２に設けられた突起形状部２２ａが、デジタルカメラ１Ｂの本体１ｂ側に設けられたカム部６４に乗り上げる。その後、外装カバー２２の突起形状部２２ａが本体１ｂ側のカム部６４上を摺動することにより、表示ユニット２０は矢印Ｕ方向（上側方向）にスライド移動した状態となる。これにより、表示ユニット２０の表示部２１の下側がアクセサリシュー１０やポップアップストロボ３と重ならないようにすることができる。一方、表示ユニット２０を第２の位置から第１の位置へと動かすと、外装カバー２２の突起形状部２２ａが本体１ｂ側のカム部６４に沿って戻ることで、表示ユニット２０はヒンジユニット３０ｂのトーションバネ３４の付勢力によって元の位置に復帰する。
【手続補正６】
【補正対象書類名】明細書
【補正対象項目名】００７３
【補正方法】変更
【補正の内容】
【００７３】
１    デジタルカメラ（撮像装置）
１ａ    本体
２０    表示ユニット
２１    液晶表示部
２２    外装カバー
２２ｅ    フォロワ部
３０    ヒンジユニット
３１    ベースプレート
３２    アームプレート
３３    スライドプレート
３４    トーションバネ
６０，６１    側面カバー
６０ａ，６１ａ    傾斜部
【手続補正７】
【補正対象書類名】特許請求の範囲
【補正対象項目名】全文
【補正方法】変更
【補正の内容】
【特許請求の範囲】
【請求項１】
表示装置が本体に取り付けられた電子機器であって、
前記表示装置を前記本体に対して回転自在に軸支すると共に、前記表示装置を軸支する回転軸から離れる所定の方向に前記表示装置をスライド可能に保持するヒンジユニットを備え、
前記ヒンジユニットは、前記表示装置を前記所定の方向に付勢する付勢部材を有し、
前記表示装置と前記ヒンジユニットの一方にフォロワ部が設けられると共に他方に傾斜部および凹形状部が設けられ、
前記表示装置が前記本体に収納された収納状態にあるときは、前記付勢部材による付勢力によって前記フォロワ部が前記凹形状部に係止し、前記収納状態にある前記表示装置を前記回転軸を中心として所定角度回転させると、前記フォロワ部の前記凹形状部に対する係止が解除され、前記付勢部材による付勢力によって前記フォロワ部が前記傾斜部を摺動して前記表示装置が前記所定の方向にスライドすることを特徴とする電子機器。
【請求項２】
前記所定の方向は、前記回転軸と直交し、且つ、前記表示装置の表示画面と略平行な方向であることを特徴とする請求項１に記載の電子機器。
【請求項３】
前記表示装置は、表示部と、前記表示部を覆う外装カバーとを有し、
前記ヒンジユニットは、前記本体と前記表示装置とを可動に連結するプレート部材と、前記プレート部材の側面に取り付けられ、前記表示装置を前記回転軸の回りに回転させたときに外観に露出する側面カバーとを有し、
前記外装カバーに前記フォロワ部が設けられ、
前記側面カバーに前記凹形状部と前記傾斜部とが設けられていることを特徴とする請求項１又は２に記載の電子機器。
【請求項４】
前記側面カバーは、前記凹形状部と前記傾斜部との間に形成された凸形状部を有し、
前記回転軸を中心として前記収納状態にある前記表示装置を所定角度回転させると、前記凹形状部に係止されていた前記フォロワ部が前記凸形状部を乗り越えて前記傾斜部に当接し、前記傾斜部を摺動して前記表示装置が前記所定の方向にスライドすることを特徴とする請求項３に記載の電子機器。
【請求項５】
前記表示装置は、表示部と、前記表示部を覆う外装カバーとを有し、
前記ヒンジユニットは、前記本体と前記表示装置とを可動に連結するプレート部材と、前記プレート部材の側面に取り付けられ、前記表示装置を前記回転軸の回りに回転させたときに外観に露出する側面カバーとを有し、
前記外装カバーに前記凹形状部と前記傾斜部とが設けられ、
前記側面カバーに前記フォロワ部が設けられていることを特徴とする請求項１又は２に記載の電子機器。
【請求項６】
前記外装カバーは、前記凹形状部と前記傾斜部との間に形成された凸形状部を有し、
前記回転軸を中心として前記収納状態にある前記表示装置を所定角度回転させると、前記凹形状部に係止されていた前記フォロワ部が前記凸形状部を乗り越えて前記傾斜部に当接し、前記傾斜部を摺動して前記表示装置が前記所定の方向にスライドすることを特徴とする請求項５に記載の電子機器。
【請求項７】
前記収納状態から前記所定の方向にスライドした状態にあり、且つ、前記フォロワ部が前記傾斜部に当接した状態にある前記表示装置を前記収納状態へ移動させるために更に前記回転軸の回りに回転させると、前記付勢部材による付勢力に抗して、前記フォロワ部が前記傾斜部を摺動し、前記凸形状部を超えて前記凹形状部に係止することにより、前記表示装置が前記収納状態へ移動することを特徴とする請求項４又は６に記載の電子機器。
【請求項８】
前記本体の正面と対向する被写体を撮像する撮像手段が前記本体に設けられ、
前記撮像手段により撮影される被写体を前記表示装置に表示可能であることを特徴とする請求項１乃至７のいずれか１項に記載の電子機器。